【手続補正書】
【提出日】平成21年4月30日(2009.4.30)
【手続補正１】
【補正対象書類名】特許請求の範囲
【補正対象項目名】全文
【補正方法】変更
【補正の内容】
【特許請求の範囲】
【請求項１】
撮像素子と、
前記撮像素子上に被写体像を結像させる撮影レンズと、
撮像装置の姿勢を検出する姿勢検出手段と、
前記撮像素子から読み出された撮影画像と共に前記姿勢検出手段により検出された姿勢判別信号を記録する画像記録手段と、
前記撮像画像に記録された姿勢判別信号に基づき前記撮影画像の表示方法または表示順番を制御する画像表示制御手段と、
を備え、
前記画像表示制御手段は、複数の撮影画像のサムネイル画像を表示する際に、縦姿勢のサムネイル画像と横姿勢のサムネイル画像の上下方向を一致させ、かつ、縦姿勢のサムネイル画像と横姿勢のサムネイル画像の上下方向の表示サイズを略同一にして表示させるよう前記画像表示制御手段を制御する、
撮像装置。
【請求項２】
撮影画像と、該撮影画像が撮影された際の撮影装置の姿勢を判別する姿勢判別信号とを、映像ケーブルまたは受信手段または記録メディアを介して読み込む画像読み込み手段と、
前記撮影画像を表示する表示手段と、
前記姿勢判別信号に基づき前記撮影画像の表示方法または表示順番を制御する画像表示制御手段と、
を備え、
前記画像表示制御手段は、複数の撮影画像のサムネイル画像を表示する際に、縦姿勢のサムネイル画像と横姿勢のサムネイル画像の上下方向を一致させ、かつ、縦姿勢のサムネイル画像と横姿勢のサムネイル画像の上下方向の表示サイズを略同一にして表示するよう前記画像表示制御手段を制御する、
撮像装置。
【請求項３】
前記画像表示制御手段は、複数の撮影画像のサムネイル画像を表示する際に、縦姿勢のサムネイル画像の被写体の上側と横姿勢のサムネイル画像の被写体の上側とを、当該撮像装置の通常の使用状態における上側となるように表示するよう前記画像表示制御手段を制御する、
請求項１または２に記載の撮像装置。
【請求項４】
前記画像表示制御手段は、複数の撮影画像のサムネイル画像を表示する際に、同じ姿勢の撮影画像をまとめて表示させるべく縦姿勢のサムネイル画像と横姿勢のサムネイル画像の表示順番を制御する、
請求項１から３のいずれかに記載の撮像装置。
【請求項５】
撮影画像は、静止画像及び動画像である、
請求項１から３のいずれかに記載の撮像装置。
【請求項６】
撮影画像と、該撮影画像が撮影された際の撮影装置の姿勢を判別する姿勢判別信号とを、映像ケーブルまたは受信手段または記録メディアを介して読み込む画像読み込み手段と、
前記撮影画像を表示する表示手段と、
前記姿勢判別信号に基づき前記撮影画像の表示方法または表示順番を制御する画像表示制御手段と、
を備え、
前記画像表示制御手段は、複数の撮影画像のサムネイル画像を表示する際に、縦姿勢のサムネイル画像と横姿勢のサムネイル画像の上下方向を一致させ、かつ、縦姿勢のサムネイル画像の長辺方向の長さと横姿勢のサムネイル画像の短辺方向の長さを略同一にして表示するよう前記画像表示制御手段を制御する、
撮像装置。
【手続補正２】
【補正対象書類名】明細書
【補正対象項目名】全文
【補正方法】変更
【補正の内容】
【発明の詳細な説明】
【発明の名称】撮像装置
【技術分野】
【０００１】
本発明は、撮像装置にて撮影した画像の表示方法に関するものである。
【背景技術】
【０００２】
昨今の撮像装置の一つであるデジタルカメラには、図２４（ａ）に示す本体の後ろ側に、図２４（ｂ）に示す横長の液晶モニタ３３が搭載されており、撮影した画像をすぐに確認できるようになっているため、撮影者にとって非常に便利である。
【０００３】
また、デジタルカメラの撮像素子として使用されているＣＣＤ等の画素数も近年格段に増加の一途をたどっており、画質の向上が見受けられる。
【０００４】
また、近年の取引市場においては従来の銀塩カメラよりもデジタルカメラの市場の方が大きくなってきている。
【０００５】
また、従来の銀塩カメラでの個人使用の場面においては、撮影画像をサービスサイズのハードコピーにプリントアウトして鑑賞する方法が主だったものであるが、近年のデジタルカメラ、特にＤＳＣ（Digital Still Camera）においては、画素数がアップしたこともさることながら、プリンタ装置等の普及により一般使用者は個人的にＡ４サイズ等好みの大きさにプリントアウトして楽しむ、等の鑑賞法が一般的になっている。
【０００６】
かかる状況の中で、撮影時に手振れが発生すれば大きなサイズにプリントアウトした時に画質の劣化が顕著に現れ、鑑賞に耐えないものとなってしまうことが考えられる。
【０００７】
即ち、手ぶれ補正の効果は、動画撮影のＤＶＣについてはもちろんのこと、静止画撮影のＤＳＣにおいても効果が大なるものとなっている。
【特許文献１】特開昭５９−１２３３８６号公報
【発明の開示】
【発明が解決しようとする課題】
【０００８】
しかしながら従来の撮像装置では、次のような課題が生じる。
（１）人物の全身を撮影するなど、被写体が縦長の場合には、フレームを有効に使って、より大きく撮影したいため、図２５（ａ）のように、撮像装置を９０゜回転させて撮影することが多い。その場合に、撮影された画像を液晶モニタで表示すると、被写体像が横を向いて表示される。したがって、本来の使用状態で被写体を表示させるには、撮像装置本体を９０゜回転させ、液晶モニタを縦長の状態にする必要があり、非常に不便である。
【課題を解決するための手段】
【０００９】
この課題を解決するために本発明の撮像装置は、
撮像素子と、
前記撮像素子上に被写体像を結像させる撮影レンズと、
撮像装置の姿勢を検出する姿勢検出手段と、
前記撮像素子から読み出された撮影画像と共に前記姿勢検出手段により検出された姿勢判別信号を記録する画像記録手段と、
前記撮像画像に記録された姿勢判別信号に基づき前記撮影画像の表示方法または表示順番を制御する画像表示制御手段と、
を備え、
前記画像表示制御手段は、複数の撮影画像のサムネイル画像を表示する際に、縦姿勢のサムネイル画像と横姿勢のサムネイル画像の上下方向を一致させ、かつ、縦姿勢のサムネイル画像と横姿勢のサムネイル画像の上下方向の表示サイズを略同一にして表示させるよう前記画像表示制御手段を制御する。
【００１０】
また、本発明の撮像装置は、
撮影画像と、該撮影画像が撮影された際の撮影装置の姿勢を判別する姿勢判別信号とを、映像ケーブルまたは受信手段または記録メディアを介して読み込む画像読み込み手段と、
前記撮影画像を表示する表示手段と、
前記姿勢判別信号に基づき前記撮影画像の表示方法または表示順番を制御する画像表示制御手段と、
を備え、
前記画像表示制御手段は、複数の撮影画像のサムネイル画像を表示する際に、縦姿勢のサムネイル画像と横姿勢のサムネイル画像の上下方向を一致させ、かつ、縦姿勢のサムネイル画像と横姿勢のサムネイル画像の上下方向の表示サイズを略同一にして表示するよう前記画像表示制御手段を制御する。
【００１１】
また、本発明の撮像装置は、前記画像表示制御手段が、複数の撮影画像のサムネイル画像を表示する際に、縦姿勢のサムネイル画像の被写体の上側と横姿勢のサムネイル画像の被写体の上側とを、当該撮像装置の通常の使用状態における上側となるように表示するよう前記画像表示制御手段を制御する。
【００１２】
また、本発明の撮像装置は、前記画像表示制御手段が、複数の撮影画像のサムネイル画像を表示する際に、同じ姿勢の撮影画像をまとめて表示させるべく縦姿勢のサムネイル画像と横姿勢のサムネイル画像の表示順番を制御する。
【００１３】
また、本発明の撮像装置は、
撮影画像と、該撮影画像が撮影された際の撮影装置の姿勢を判別する姿勢判別信号とを、映像ケーブルまたは受信手段または記録メディアを介して読み込む画像読み込み手段と、
前記撮影画像を表示する表示手段と、
前記姿勢判別信号に基づき前記撮影画像の表示方法または表示順番を制御する画像表示制御手段と、
を備え、
前記画像表示制御手段は、複数の撮影画像のサムネイル画像を表示する際に、縦姿勢のサムネイル画像と横姿勢のサムネイル画像の上下方向を一致させ、かつ、縦姿勢のサムネイル画像の長辺方向の長さと横姿勢のサムネイル画像の短辺方向の長さを略同一にして表示するよう前記画像表示制御手段を制御する。
【発明の効果】
【００１４】
以上のように、本発明の撮像装置によれば、撮像装置に内蔵の表示装置にて撮影画像を表示させる場合、撮影画像に記録された姿勢判別信号に基づいて表示方法を制御することにより、撮影者が使用した撮像装置の姿勢に左右されることなく、かつ撮影画像によって撮像装置を回転させるなどの無駄な操作が必要なく、撮像装置の通常の使用状態にて撮影画像を表示することができるという顕著な効果が得られる。
【００１５】
また、本発明の撮像装置によれば、横姿勢撮影画像と縦姿勢撮影画像のサムネイル画像を、被写体の本来の姿勢にて表示することができる。また従来は撮影時間順にサムネイル表示を行っていたため、横姿勢撮影画像と縦姿勢撮影画像とが混在し、非常にみにくい状態であったが、横姿勢撮影画像と縦姿勢撮影画像を連続して表示させるようにしたため、非常に見やすくなり、希望の撮影画像の選択が容易になるという顕著な効果が得られる。
【発明を実施するための最良の形態】
【００１６】
以下、この発明の第１の実施の形態について、図１〜図６を用いて説明する。図１は第１の実施の形態における撮像装置のハードウェア構成図、図２は手ぶれ補正装置のハードウェア構成図、図３は像ぶれ補正機構を示す分解斜視図、図４は像ぶれ補正機構の姿勢を示す図、図５はアクチュエータの電流値の大きさを示す図、図６は撮影画像データの縦横の並べ替えを説明する図である。
【００１７】
固体撮像素子（ＣＣＤ）４は、撮像光学系３を介して入射する映像を電気信号に変換する撮像素子であり、ＣＣＤ駆動制御手段５により駆動、制御される。アナログ信号処理手段６は、固体撮像素子４により得られた映像信号に対し、ガンマ処理などのアナログ信号処理を施す処理手段である。Ａ／Ｄ変換手段７は、アナログ信号処理手段６から出力されたアナログの映像信号をデジタル信号に変換する変換手段である。
【００１８】
デジタル信号処理手段８は、Ａ／Ｄ変換手段７によりデジタル信号に変換された映像信号に対し、ノイズ除去や輪郭強調等のデジタル信号処理を施す信号処理手段である。フレームメモリ９は、デジタル信号処理手段８を経た画像信号を一旦記憶するものである。フレームメモリ９で一旦記録された画像は、画像記録制御手段１０の指令に従い、内部メモリ、あるいは記録メディア等の画像記録手段１１への書き込みが制御される。
【００１９】
撮像光学系３は、３つのレンズ群Ｌ１、Ｌ２、Ｌ３からなる撮像光学系であり、Ｌ２レンズ群を補正レンズ群とし、光軸に垂直な面内で移動することで、光軸を偏心させ、画像の動きを補正する役割を果たしている。ヨーイング駆動補正手段１２ｘ及びピッチング駆動補正手段１２ｙは、補正レンズ群であるＬ２レンズ群を、撮像光学系２の光軸に直交する２方向Ｘ，Ｙ方向に駆動制御する。
【００２０】
以後、Ｘ方向をヨーイング方向、Ｙ方向をピッチング方向とする。位置検出手段１３は、Ｌ２レンズ群の位置を検出する検出手段であり、ヨーイング駆動制御手段１２ｘ、ピッチング駆動制御手段１２ｙと共にＬ２レンズ群を駆動制御するための帰還制御ループを形成している。このようなＬ２レンズ群及びヨーイング駆動制御手段１２ｘ、ピッチング駆動制御手段１２ｙとは、撮像光の光軸を制御する動き補正手段を形成している。
【００２１】
角速度センサ１４ｘ，１４ｙは、撮像光学系２を含む撮像装置自体の動きを検出するためのセンサであり、撮像装置１が静止している状態での出力を基準に、撮像装置１の動きの方向により正負両方の角速度信号を出力する。角速度センサ１４ｘ，１４ｙは、それぞれヨーイング及びピッチングの２方向の動きを検出するため、２個設けられている。このように角速度センサ１４ｘ，１４ｙは、手ぶれ及びその他の振動による撮像装置１の動きを検出する動き検出手段の機能を有している。この角速度センサ出力は、フィルタ処理、アンプ処理等を経て、Ａ／Ｄ変換手段１５ｘ，１５ｙでデジタル信号に変換され、マイクロコンピュータ２に与えられる。
【００２２】
マイクロコンピュータ２は、Ａ／Ｄ変換手段１５ｘ，１５ｙを介して取り込んだ角速度センサ１４ｘ，１４ｙの出力信号に対し、フィルタリング、積分処理、位相補償、ゲイン調整、クリップ処理等を施し、動き補正に必要なＬ２レンズ群の駆動制御量（制御信号）を求める。制御信号はＤ／Ａ変換手段１６ｘ、１６ｙを介してヨーイング駆動制御手段１２ｘ、ピッチング駆動制御手段１２ｙに出力される。よってヨーイング駆動制御手段１２ｘ、ピッチング駆動制御手段１２ｙは制御信号に基づきＬ２レンズ群を駆動することで、画像の動きを補正する。
【００２３】
図３は、Ｌ２レンズ群を撮像光学系３内で光軸に直交する方向に駆動制御する像ぶれ補正機構２０の一例を示した分解斜視図である。Ｌ２レンズ群はピッチング移動枠２１に固定され、このピッチング移動枠２１は、ヨーイング移動枠２２に対し、２本のピッチングシャフト２３ａ，２３ｂを介してＹ方向に摺動可能に保持されている。またピッチング移動枠２１には、コイル２４ｘ，２４ｙが固定されている。ヨーイング移動枠２２は、固定枠２５に対し、ヨーイングシャフト２６ａ，２６ｂを介してＸ方向に摺動自在に保持されている。
【００２４】
マグネット２７ｘ、ヨーク２８ｘは、固定枠２５に保持され、コイル２４ｘとともにアクチュエータ２９ｘを構成する。同様にマグネット２７ｙ、ヨーク２８ｙは、固定枠２５に保持され、コイル２４ｙとともにアクチュエータ２９ｙを構成する。発光素子３０は、ピッチング移動枠２１に固定されている。また受光素子３１は、発光素子３０の投射光を受光し、２次元の位置座標を検出する素子であり、固定枠２５に固定されている。
【００２５】
図２に示すヨーイング電流値検出手段１７ｘは、ヨーイング用アクチュエータ２９ｘが動作したときのコイル２４ｘに流れる電流値を検出する検出手段である。同様に、ピッチング電流値検出手段１７ｙは、ピッチングアクチュエータ２９ｙが動作したときのコイル２４ｙに流れる電流値を検出する手段である。
【００２６】
ヨーイング電流値検出手段１７ｘ、ピッチング電流値検出手段１７ｙによる電流値検出方法について説明する。図２４（ａ）に示すような通常姿勢での撮影では、像ぶれ補正機構２０の姿勢は、図４（ａ）に示す通りである。
【００２７】
この時、Ｙ方向に関してＬ２レンズ群を光軸中心に保持するためには、Ｌ２レンズ群、ピッチング保持枠２１、コイル２４ｘ，２４ｙの重さが重力方向（Ｙ方向）にかかるため、コイル２４ｙにその自重分を持ち上げるための電流を流す必要がある。そのときの電流値は図５に示すＩｙ１とする。
【００２８】
またＸ方向に関しては、Ｌ２レンズ群を光軸中心に保持するための自重分を考慮する必要がないため、コイル２４ｘに流す電流値は、Ｉｙ１よりも小さいＩｘ２となる。逆に図２５（ａ）に示すような９０゜回転させた撮影姿勢では、像ぶれ補正機構１９の姿勢は、図４（ｂ）に示す通りである。
【００２９】
この時、Ｘ方向に関してＬ２レンズ群を光軸中心に保持するためには、先ほど説明したＬ２レンズ群、ピッチング保持枠２１、コイル２４ｘ，２４ｙに加え、ヨーイング保持枠２２の重さが重力方向（Ｘ方向）にかかるため、コイル２４ｘにその自重分を持ち上げるための電流を流す必要がある。そのときの電流値は、先ほどのＩｙ１より大きいＩｘ１となる。
【００３０】
またＹ方向に関しては、Ｌ２レンズ群を光軸中心に保持するための自重分を考慮する必要がないため、コイル２４ｙに流す電流値は、Ｉｘ１より小さいＩｙ２となる。このよう
に、撮影する姿勢により、コイル２４ｘ，２４ｙに流れる電流値が定まるため、逆にこの電流値を検出することにより、像ぶれ補正機構２０、像ぶれ補正機構を搭載したレンズ鏡筒１９、さらには撮像装置１の姿勢を検出することが可能となる。
【００３１】
以上のように構成された本実施の形態の撮像装置に関し、以下その動作を説明する。
【００３２】
撮影者が撮影する際には、角速度センサ１４ｘ，１４ｙにより撮像装置１に生じる手ぶれを検知し、マイクロコンピュータ２がその手ぶれを打ち消すように指令を与え、ピッチング移動枠２１のコイル２４ｘ，２４ｙにそれぞれ外部の回路から電流を供給すると、アクチュエータ２７ｘ，２７ｙにより形成された磁気回路により、ピッチング移動枠２１は、光軸Ｚと直角な２方向Ｘ，Ｙ平面内を移動する。またピッチング移動枠２１の位置を受光素子２９により検出するため、高精度な位置検出を行うことができる。すなわち、像ぶれ補正機構２０によりＬ２レンズ群を光軸と直交する２平面内を移動させることにより、撮像光学系２を介して撮像素子４に入射する画像の補正を行うことができ、手ぶれを抑制した良好な画像を撮影することが可能となる。
【００３３】
次に撮像装置の撮影姿勢の判別方法について、撮影者が図２４（ａ）に示す状態にて、風景など横長の被写体を撮影する場合を説明する。撮像装置１の姿勢については、ヨーイング電流値検出手段１７ｘ、ピッチング電流値検出手段１７ｙの検出値により判断する。この姿勢（０゜の姿勢）で撮影した場合、ヨーイング駆動電流値検出手段１７ｘ、ピッチング駆動電流値検出手段１７ｙにより、手ぶれ補正機構２０のコイル２４ｘに流れる電流値がＩｘ２、コイル２４ｙに流れる電流値がＩｙ１ということがわかる。
【００３４】
その結果、マイクロコンピュータ２は、撮像装置１の姿勢を判別する。この状態でシャッターボタン３５を押すことにより、被写体を撮影することができ、その撮影画像は画像記録手段１１に記録される。この記録される撮影画像は、図６（ａ）に示すように、通常のＡ×Ｂ画素のデータである。
【００３５】
次に撮影者が、図２５（ａ）に示す状態にて、人物など縦長の被写体を撮影する場合を説明する。撮像装置１の姿勢については、ヨーイング電流値検出手段１７ｘ、ピッチング電流値検出手段１７ｙの検出値により判断する。この姿勢（９０゜の姿勢）で撮影した場合、ヨーイング駆動電流値検出手段１７ｘ、ピッチング駆動電流値検出手段１７ｙにより、手ぶれ補正機構２０のコイル２４ｘに流れる電流値Ｉｘ１、コイル２４ｙに流れる電流値Ｉｙ２ということがわかる。
【００３６】
その結果、マイクロコンピュータ２は、撮像装置１の姿勢を判別する。この状態でシャッターボタン３５を押すことにより、被写体を撮影することができ、その撮影画像は画像記録手段１１に記録される。この記録される撮影画像は、図６（ｂ）に示すように、本来はＡ×Ｂ画素のデータであるが、撮像装置１を９０゜回転させて撮影したので、画像記録手段１１に記録する際には、その撮影画像を９０゜回転させ、縦横を並べ替えてＢ×Ａ画素とした状態でフレームメモリ９から出力する。
【００３７】
以上のようにこの第１の実施の形態によれば、手ぶれ補正機構を搭載したことにより、手ぶれのない良好な画像を撮影することができる。さらにアクチュエータの駆動電流値検出手段により、撮像装置の撮影姿勢を判別することが可能となるため、コストアップの要因となる検出センサを別途設けることなく、被写体と撮影画像の上下左右が一致するように縦横を調整して撮影画像を記録することができる。
【００３８】
その結果、別途表示装置などにて撮影画像を表示する際、撮影者が使用した撮像装置の姿勢に左右されることなく、かつ撮影画像を回転させるなどの特別な操作も必要なく、被
写体本来の姿勢にて撮影画像を表示することができる。
【００３９】
なお本実施の形態においては、電流値検出手段として、ピッチング及びヨーイングの両方を用いたが、片方の電流値を検出するだけでも、撮像装置の姿勢を特定することは可能である。ただし本実施の形態で説明したように、両方の電流値を検出することにより、仮に片側の電流値測定手段に異常が生じたとしても、より正確に判断することが可能となる。またこの姿勢検出手段については、手ぶれ補正機構を搭載していない撮像装置においては、別途、角度センサ等を取り付けることにより、本実施の形態と同様の効果が得られることは言うまでもない。
【００４０】
撮像装置本体には、本実施の形態で説明したように撮影姿勢により記録画像を並び替える方法と、従来通り並び替えない方法とを、選択できるような選択手段を設けてもよい。
【００４１】
撮影画像については、静止画について説明したが、動画、あるいは簡易動画等についても、同様に対応することができる。
【００４２】
撮像装置を９０゜回転させた撮影姿勢については、この姿勢に限定されるものではなく、この姿勢からさらに１８０゜回転させた状態であっても良い。
【００４３】
また撮像装置の形状は、本実施の形態で説明したものに限るものではない。
【００４４】
次に、この発明の第２の実施の形態について、図７を用いて説明する。図７は撮影画像に記録される撮像装置の姿勢判別信号を説明する図である。なお、これまで説明したものは同一の符号を付し、その説明は省略する。
【００４５】
撮影画像には、撮像装置１の撮影姿勢の差を判別する姿勢判別信号３６を同時に記録する。撮影姿勢が０゜の時の姿勢判別信号は３６（０）であり、９０゜の時の姿勢判別信号は３６（１）である。
【００４６】
以上のように構成された第２の実施の形態の撮像装置に関し、以下その動作を説明する。
【００４７】
撮影者が図２４（ａ）に示す状態にて、風景など横長の被写体を撮影する場合を説明する。撮像装置１の姿勢については、第１の実施の形態にて説明したように、像ぶれ補正機構２０のコイル２４ｘ，２４ｙに流れる電流の大きさにて判別する。この状態でシャッターボタン３５を押すことにより、被写体を撮影することができ、その撮影画像は画像記録手段１１に記録される。この際、画像記録制御手段１０は、フレームメモリ９から出力される画像信号に、撮像装置１の撮影姿勢が０゜であったことを示す姿勢判別信号３６（０）を付加する。この姿勢判別信号３６は、例えば画像信号のヘッダー、あるいはフッター部分に記録する。また姿勢判別信号３６を記録するタイミングは、フレームメモリ９、あるいは画像記録手段１１内のいずれにおいてでも良い。
【００４８】
次に撮影者が、図２５（ａ）に示す状態にて、人物など縦長の被写体を撮影する場合を説明する。この状態でシャッターボタン３５を押すことにより、被写体を撮影することができ、その撮影画像は画像記録手段１１に記録される。この際、画像記録制御手段１０は、フレームメモリ９から出力される画像信号に、撮像装置１の撮影姿勢が９０゜であったことを示す姿勢判別信号３６（１）を付加する。
【００４９】
以上のようにこの第２の実施の形態によれば、撮像装置の撮影姿勢を判別し、撮影画像に撮像装置の姿勢判別信号を一緒に記録することができる。その結果、別途表示装置にて
撮影画像を表示する際、撮影画像に記録された姿勢判別信号に基づいて表示方法を制御することにより、撮影者が使用した撮像装置の姿勢に左右されることなく、かつ撮影画像を回転させるなどの特別な操作も必要なく、被写体本来の姿勢にて撮影画像を表示することができる。
【００５０】
なお本実施の形態のおいては、姿勢判別信号として、（０），（１）の信号を付加する方法を用いたが、この方法に限定されるものではない。
【００５１】
次に、この発明の第１、第２の実施の形態において、その他の実施の形態について図８を用いて説明する。図８は本実施の形態における撮像装置のハードウェア構成図である。なお、これまで説明したものは同一の符号を付し、その説明は省略する。
【００５２】
撮像装置１には、図１に示したハードウェア構成図に対して、モデム等の送信手段５１が追加されており、画像記録手段１１に記録された撮影画像は、画像送信制御手段５０によりフレームメモリ４５に読み出され、送信手段５１を介して公衆電話回線等にて伝送される。
【００５３】
このように送信手段を介して撮影画像を伝送することにより、自宅のパソコン、他人のパソコンや情報携帯端末、さらにはユーザーが撮影した画像を、アルバムサイトの運営会社のサーバーに保存し、個々のユーザーに専用のＷｅｂページで公開する「アルバムサイト」などにも、撮影した画像を、瞬時にかつ容易に伝送することが可能となる。
【００５４】
なお画像の伝送方法については、画像を伝送できるものであれば携帯電話等を使用する方法でもよく、本実施の形態の方法に限定されるものではない。
【００５５】
次に、この発明における第３の実施の形態について、図９、図１０を用いて説明する。図９は撮影画像を記録する際のフローチャート図、図１０は撮像装置のファイル管理方法を説明する図である。なお、これまで説明したものは同一の符号を付し、その説明は省略する。
【００５６】
撮像装置１のファイル管理方法について説明する。撮影した撮影画像は、記録メディア（図示せず）に撮像画像フォルダ９０が形成され、その下に静止画像フォルダ９１および動画像フォルダ９２が形成される。さらに、撮像装置１の撮影姿勢に応じて、静止画像フォルダ９１および動画像フォルダ９２の下に、横姿勢画像フォルダ９３および縦姿勢画像フォルダ９４が形成される。
【００５７】
静止画撮影モードでは、撮影された静止画像は、静止画画像ファイル９５として横姿勢画像フォルダ９３ａあるいは縦姿勢画像フォルダ９４ａのいずれかに格納される。
【００５８】
動画撮影モードでは、撮影された動画像は、動画画像ファイル９６として横姿勢像フォルダ９３ｂあるいは縦姿勢画像フォルダ９４ｂのいずれかに格納される。
【００５９】
以下、図１０のフローチャートを用いて、この撮影画像の記録方法について説明する。
【００６０】
マイクロコンピュータ２は、ステップＳ２において、撮影者が静止画、動画撮影モードのいずれかを選択しているのかを判断する。
【００６１】
静止画撮影モードが設定されている場合には、マイクロコンピュータ２はステップＳ３において記録先ディレクトリを静止画像フォルダ９１に設定する。次にステップＳ４において姿勢判別手段により撮像装置の姿勢を判別し、ステップＳ５のおいて、横姿勢の場合
（図２４（ａ）の状態）は横姿勢画像フォルダ９３ａを設定し、縦姿勢の場合（図２５（ａ）の状態）は縦姿勢画像フォルダ９４ａを設定する。次にステップＳ６において、シャッターボタン（図示せず）が押されるのを待ち、押された場合にはステップＳ７において静止画撮影を行い、ステップＳ８において記録を終了する。この際撮影された静止画像は、画像ファイル９５ａ，９５ｂとして、横姿勢画像フォルダ９３ａあるいは縦姿勢画像フォルダ９４ａ内に格納される。
【００６２】
次に動画撮影モードが設定されている場合には、マイクロコンピュータ２はステップＳ９において記録先ディレクトリを動画像フォルダ９２に設定する。次にステップＳ１０において姿勢判別手段により撮像装置の姿勢を判別し、ステップＳ１１において、横姿勢の場合は横姿勢画像フォルダ９３ｂを設定し、縦姿勢の場合は縦姿勢画像フォルダ９４ｂを設定する。次にステップＳ１２において、シャッターボタンが押されるのを待ち、押された場合にはステップＳ１３において動画撮影を行い、ステップＳ８において記録を終了する。この際撮影された動画像は、画像ファイル９６ａ，９６ｂとして、横姿勢画像フォルダ９３ｂあるいは縦姿勢画像フォルダ９４ｂ内に格納される。
【００６３】
記録画像を再生する場合には、ユーザーは、静止画像あるいは動画像のいずれかを選択し、さらに横姿勢画像あるいは縦姿勢画像のいずれかを選択することにより、希望する撮影画像を瞬時に、かつ容易に選択することができる。
【００６４】
以上のようにこの第３の実施の形態によれば、動画、静止画かつ撮像装置の横姿勢、縦姿勢の撮影画像をグループ化して格納することができる。その結果、複数の撮影画像がグループ化されず、同一フォルダに撮影時間順に格納されていた従来に比べ、希望する撮影画像を瞬時に、かつ容易に選択し再生することができる。さらにパーソナルコンピュータなどとのデータのやり取りが、便利になる。
【００６５】
なお本実施の形態においては、撮影する画像は静止画像と動画像の２つについて説明したが、静止画像については連写モードで撮影された複数の撮影画像についても含まれることは言うまでもない。また動画については、簡易動画であっても良い。
【００６６】
次に、この発明の第４の実施の形態について、図１１〜図１２を用いて説明する。図１１は第４の実施の形態における撮像装置のハードウェア構成図、図１２は撮影画像の表示方法を説明する図である。なおこれまでに説明したものは同一の符号を付し、その説明は省略する。
【００６７】
画像記録手段１１に記録された撮影画像は、画像表示制御手段３２により、フレームメモリ４５を介して、撮像装置１に搭載された液晶モニタ等の画像表示手段３３に表示される。
【００６８】
以上のように構成された第４の実施の形態の撮像装置に関し、以下その動作を説明する。
【００６９】
撮影者が図２４（ａ）に示す状態にて、風景など横長の被写体を撮影した場合の撮影画像の表示方法について説明する。第２の実施の形態にて説明したように、この姿勢にて撮影された撮影画像には、撮影姿勢が０゜であったことを示す姿勢判別信号３６（０）が付加されて、画像記録手段１１に記録されている。
【００７０】
この撮影画像を、撮像装置１に搭載された液晶モニタ３３に表示させる場合には、表示ボタン３４を押し、希望の撮影画像を選択することにより表示可能となる。
【００７１】
この際画像表示制御手段３２は、表示させる撮影画像に記録された撮像装置１の姿勢判別信号３６（０）に基づき、撮影画像の表示方法を制御する。すなわちこの撮影画像は、０゜の姿勢で撮影されたものであるため、図１２（ａ）に示すように、撮像装置１の通常の使用状態にて表示される。
【００７２】
次に撮影者が図２５（ａ）に示す状態にて、人物など縦長の被写体を撮影した場合の表示方法について説明する。これも第２の実施の形態にて説明したように、この姿勢にて撮影された撮影画像には、撮影姿勢が９０゜であったことを示す姿勢判別信号３６（１）が付加されて、画像記録手段１１に記録されている。
【００７３】
この撮影画像を、撮像装置１に搭載されて液晶モニタ３３に表示させる場合には、表示ボタン３４を押し、希望の記録画像を選択することにより表示可能となる。
【００７４】
この際画像表示制御手段３２は、表示させる撮影画像に記録された撮像装置１の姿勢判別信号３６（１）に基づき、撮影画像の表示方法を制御する。すなわちこの撮影画像は、９０゜の姿勢で記録されたものであるため、図１２（ｂ）に示すように、図１２（ａ）に示す状態から自動的に９０゜回転させて表示される。
【００７５】
つまり被写体の上側が、撮像装置１の通常の使用状態における上側に表示されため、従来のように、撮像装置１本体を９０゜回転させて見るなどの無駄なことをする必要がない。
【００７６】
以上のようにこの第４の実施の形態によれば、撮影画像を表示させる場合、撮影画像に記録された姿勢判別信号に基づいて表示方法を制御することにより、撮影者が使用した撮像装置の姿勢に左右されることなく、かつ撮影画像によって撮像装置を回転させるなどの無駄な操作が必要もなく、撮像装置の通常の使用状態にて撮影画像を表示することができる。
【００７７】
次に、この発明の第５の実施の形態について、図１３〜図１４を用いて説明する。図１３は第５の実施の形態における撮像装置の表示部を説明する図、図１４はサムネイル表示について説明する図である。なお、これまで説明したものは同一の符号を付し、その説明は省略する。
【００７８】
図１１に示すハードウェア構成図において、フレームメモリ９で一旦記録された撮影画像は、画像記録制御手段１０の指令に従い、内部メモリ、あるいは記録メディア等の画像記録手段１１への書き込みが制御される。この記録の際、各撮影画像には間引き処理を施した縮小画像（サムネイル画像）が同時に作成され、撮影画像と共に記録される。
【００７９】
次に再生する際には、画像記録手段１１に記録された撮影画像は、画像表示制御手段３２により、フレームメモリ４５を介して、撮像装置１に搭載された液晶モニタ等の画像表示手段３３に表示される。表示の際には、１つの表示画面に、９つの画像をサムネイル表示する。
【００８０】
以上のように構成された第５の実施の形態の撮像装置に関し、以下その動作を説明する。  撮影画像を撮像装置１に搭載された液晶モニタ３３に表示させる場合には、表示ボタン３４を押し、１〜９番の９つのサムネイル画像を表示させる。図１４（ａ）に示すように、９つのサムネイル画像のうち、１〜７番の７つの画像は図２４（ａ）に示す横姿勢にて撮影されたものであり、撮影画像には、撮影姿勢が０゜であったことを示す姿勢判別信号３６（０）が付加されて記録されている。
【００８１】
したがってサムネイル画像の表示も、この姿勢判別信号３６（０）に基づき、通常の状態にて表示される。一方、８〜９番の２つの画像は図２５（ａ）に示す縦姿勢にて撮影されたものであり、撮影画像には、撮影姿勢が９０゜であったことを示す姿勢判別信号３６（１）が付加されて記録されている。したがってサムネイル画像の表示も、この姿勢判別信号３６（１）に基づき、通常の状態から９０゜回転させて表示される。
【００８２】
またサムネイル画像を、例えば撮影画像の撮影時間順に並べて表示させると、縦姿勢撮影画像と横姿勢撮影画像とが混在することになり、非常に見にくい。したがって本実施の形態では、１〜７番が横姿勢撮影画像、８〜９番が縦姿勢撮影画像となるように、同じ姿勢にて撮影した画像をまとめてサムネイル表示させるようにしている。
【００８３】
さらに第３の実施の形態にて説明した画像ファイルの管理方法を用いることにより、横姿勢撮影画像と縦姿勢撮影画像との格納フォルダが区別されているため、横姿勢撮影画像と縦姿勢撮影画像の撮影時間がばらばらであっても、瞬時に表示させることが可能となる。最後に矢印キー５３により任意のサムネイル画像を選択すると、本来の撮影画像が表示される。また表示切り替えボタン５４を押すことにより、図１４（ｂ）に示すように、横姿勢撮影画像と縦姿勢撮影画像が混在した、従来どおりの撮影時間順のサムネイル表示に切り換えることも可能である。
【００８４】
以上のようにこの第５の実施の形態によれば、横姿勢撮影画像と縦姿勢撮影画像のサムネイル画像を、被写体の本来の姿勢にて表示することができる。また従来は撮影時間順にサムネイル表示を行っていたため、横姿勢撮影画像と縦姿勢撮影画像とが混在し、非常に見にくい状態であったが、横姿勢撮影画像と縦姿勢撮影画像をまとめて表示させるようにしたため、非常に見やすくなり、希望の撮影画像の選択が容易になる。
【００８５】
なお本実施の形態においては、９画面のサムネイル表示について説明したが、９画面に限定されるものではなく、例えば１６画面であっても良い。
【００８６】
次に、この発明における第６の実施の形態について、図１５〜図１７を用いて説明する。図１５は第６の実施の形態における撮像装置のハードウェア構成図、図１６は撮像装置と外部の表示装置の接続状態を示す図、図１７は外部の表示装置に表示される撮影画像を示す図である。なお、これまで説明したものは同一の符号を付し、その説明は省略する。
【００８７】
画像記録手段１１に記録された撮影画像は、画像信号出力制御手段４６により、フレームメモリ４５を介して、撮像装置１に搭載された画像信号出力手段３７を通して外部に出力される。この画像信号出力手段３７には、映像ケーブル３８を介して、テレビ等の外部の表示装置３９に接続することにより、撮像装置の撮影画像を表示させることができる。
【００８８】
以上のように構成された第６の実施の形態の撮像装置に関し、以下その動作を説明する。
【００８９】
撮影者が図２４（ａ）に示す状態にて、風景など横長の被写体を撮影した場合の撮影画像の表示方法について説明する。第２の実施の形態にて説明したように、この姿勢にて撮影された撮影画像には、撮影姿勢が０゜であったことを示す姿勢判別信号３６（０）が付加され、画像記録手段１１に記録されている。
【００９０】
この撮影画像を、撮像装置１に接続された外部の表示装置３９に表示させる場合には、表示ボタン３４を押し、希望の記録画像を選択することにより表示可能となる。
【００９１】
この際、画像信号出力制御手段４６は、表示させる撮影画像に記録された撮像装置１の
姿勢判別信号３６（０）に基づき、画像信号の出力方法を制御する。すなわちこの撮影画像は、０゜の姿勢で撮影されたものであるため、外部の表示装置３９には、図１７（ａ）に示すように表示される。
【００９２】
次に撮影者が、図２５（ａ）に示す状態にて、人物など縦長の被写体を撮影した場合の表示方法について説明する。これも第２の実施の形態にて説明したように、この姿勢にて撮影された撮影画像には、撮像装置１の撮影姿勢が９０゜であったことを示す姿勢判別信号３６（１）が付加されて、画像記録手段１１に記録されている。
【００９３】
この撮影画像を、撮像装置１に接続された外部の表示装置３９に表示させる場合には、表示ボタン３４を押し、希望の記録画像を選択することにより表示可能となる。
【００９４】
この際は、画像信号出力制御手段４６は、表示させる撮影画像に記録された撮像装置１の姿勢判別信号３６（１）に基づき、画像信号の出力方法を制御する。
【００９５】
すなわちこの撮影画像は、９０゜の姿勢にて撮影されたものであるため、図１７（ｂ）に示すように、図１７（ａ）に示す状態から自動的に９０゜回転させて表示される。つまり被写体の上側が、外部の表示装置３９の上側に表示されるため、撮影画像が横向きに表示されて見づらいなどの問題が生じなくなる。
【００９６】
以上のように第６の実施の形態によれば、外部の表示装置にて撮影画像を表示させる場合、撮影画像に記録された姿勢判別信号に基づいて映像信号を出力することにより、撮影者が使用した撮像装置の姿勢に左右されることなく、本来の被写体の姿勢にて表示装置に表示できる。
【００９７】
また、上記実施例では、撮像装置側で、既に姿勢判別を行った状態の画像信号を出力し、テレビ等の表示装置に入力している場合について説明したが、かかる構成とすることにより、表示装置側で、画像信号の姿勢判別に関して何らの対応もなされていない場合でも被写体本来の姿勢にて表示が可能となるものである。
【００９８】
もっとも、姿勢判別信号を読み取り、制御する機能が表示装置側にあってもよく、かかる構成の場合、表示装置の表示部が使用者に対してどういう姿勢にあるかによって自動的に表示させることもできる。即ち、表示装置の表示部が回転可能な構成となっており、使用者に対して、通常状態から９０゜回転した状態にあるような場合は、撮像装置側から送出された画像信号に付随した姿勢判別信号を読み取り、自動的に最適な表示姿勢で表示させることが可能となる。
【００９９】
特に、表示装置がパソコン等の多機能を有する装置の場合は撮像装置側から送出される画像信号には姿勢判別信号が付加されてさえいれば、自動的に最適な姿勢で表示することが可能となる。
【０１００】
なお本実施の形態においてはその説明を省略したが、第５の実施の形態にて説明したサムネイル表示に関しても、外部出力できることは言うまでもない。
【０１０１】
次に、この発明の第７の実施の形態について、図１８〜図１９を用いて説明する。図１８は第７の実施の形態における撮像装置と表示装置間の撮影画像の受け渡し方法を説明する図、図１９は表示装置のハードウェア構成図。なお、これまで説明したものは同一の符号を付し、その説明は省略する。
【０１０２】
メモリーカードなどの記録メディア４２を、パーソナルコンピュータ４３に設けられた
記録メディア挿入手段４１に挿入することにより、撮影画像を読み込む。この記録メディア４２に書き込まれた撮影画像は、記録メディア４２をパーソナルコンピュータ４３に内蔵された記録メディア挿入手段４４に挿入することにより、データの受け渡しが完了する。記録メディア４２内の撮影画像は、フレームメモリ４８を介し、画像表示制御手段４７、例えばパーソナルコンピュータ４３に予めインストールされている画像処理ソフトにより処理することにより、表示手段４９に撮影画像を表示させることができる。
【０１０３】
以上のように構成された第７の実施の形態の表示装置に関し、以下その動作を説明する。
【０１０４】
撮影者が図２４（ａ）に示す状態にて、風景など横長の被写体を撮影した場合の撮影画像の表示方法について説明する。第２の実施の形態にて説明したように、この姿勢にて撮影された撮影画像には、撮影姿勢が０゜であったことを示す姿勢判別信号３６（０）が付加されて、記録メディア４２に記録されている。
【０１０５】
この撮影画像を、表示手段４９に表示させる場合には、画像表示制御手段４７により希望の撮影画像を選択することにより表示可能となる。
【０１０６】
この時画像表示制御手段４７は、記録メディア４１から撮影画像を読み出す際に、撮像装置１の姿勢判別信号３６（０）も同時に読み出す。
【０１０７】
よって画像表示制御手段４７は、表示させる撮影画像に記録された撮像装置１の姿勢判別信号３６（０）に基づき、撮影画像の表示方法を制御する。すなわちこの撮影画像は０゜の姿勢で撮影されたものであるため、図１７（ａ）に示すように表示される。
【０１０８】
次に撮影者が図２５（ａ）に示す状態にて、人物など縦長の被写体を撮影した場合の撮影画像の表示方法について説明する。第２の実施の形態にて説明したように、この姿勢にて撮影された撮影画像には、撮影姿勢が９０゜であったことを示す姿勢判別信号３６（１）が付加されて、記録メディア４２に記録されている。
【０１０９】
この撮影画像を、表示手段４９に表示させる場合には、画像表示制御手段４７により希望の撮影画像を選択することにより表示可能となる。この時画像表示制御手段４７は、記録メディア４１から撮影画像を読み出す際に、撮像装置１の姿勢判別信号３６（１）も同時に読み出す。
【０１１０】
よって画像表示制御手段４７は、表示される撮影画像に記録された撮像装置１の姿勢判別信号３６（１）に基づき、撮影画像の表示方法を制御する。すなわちこの撮影画像は、９０゜の姿勢で撮影されたものであるため、図１７（ｂ）に示すように、図１７（ａ）に示す状態から自動的に９０゜回転させて表示される。
【０１１１】
つまり被写体の上側が、表示手段４９の上側に表示されるため、撮影画像が横向きに表示されて見づらいなどの問題が生じなくなる。また画像処理ソフトを用いて、撮影画像を回転させるなどの特別な操作も不必要となる。
【０１１２】
以上のようにこの第７の実施の形態によれば、記録メディアを介して、パーソナルコンピュータなどと撮影画像の受け渡しを容易にすることができ、なおかつ撮影画像をパーソナルコンピュータなどにて表示する場合、予めインストールされた画像処理ソフトが、撮影画像に記録された姿勢判別信号に基づいて表示方法を制御することにより、撮影者が使用した撮像装置の姿勢に左右されることなく、本来の被写体の姿勢にて表示装置に表示できる。
【０１１３】
なお表示装置は、パーソナルコンピュータに限定されるものではなく、例えばモニタを搭載したプリンタなどに適応できることは言うまでもない。またカメラショップやコンビニエンスストアなどに設置されている電子写真プリントサービスにおいて、ユーザーが記録メディアから撮影写真をアップロードする際に、縦、横の写真が混在している場合でも、すべて本来の被写体の姿勢にて表示できるので、メニュー操作にて回転させるなどの手間が必要ない。
【０１１４】
また記録メディアは、カード、光ディスク、ハードディスクなど、一つに限定されるものではない。
【０１１５】
次に、この発明における第７の実施の形態について、その他の形態について図２０を用いて説明する。図２０は表示装置のハードウェア構成図である。
【０１１６】
パーソナルコンピュータ４３には、図１９に示したハードウェア構成図に対して、モデム等の受信手段５５が追加されており、例えば公衆回線により他の送信装置（図示せず）から送られてきた撮影画像は、画像受信制御手段５７により受信手段５５を介してフレームメモリ５６に読み出され、この撮影画像は表示手段４９に表示される。
【０１１７】
このように受信手段を介して撮影画像を受信することにより、記録メディアを介して撮影画像を受け取ることに比べ、タイムリーに撮影画像を見ることができる。さらに先の発明で説明した送信手段付きの撮像装置と、この受信手段付きの表示装置を組み合わせれば、撮影者が使用した撮像装置の姿勢に左右されることなく、本来の被写体の姿勢にて表示装置に表示できるようになる。
【０１１８】
次に、この発明における第８の実施の形態について、図２１〜図２３を用いて説明する。図２１は第８の実施の形態における投射装置投射部のハードウェア構成図、図２２は投射装置制御部のハードウェア構成図、図２３は撮影画像の投射方法を説明する図である。
【０１１９】
投射装置８２の投射部について説明する。光源６０はハロゲンランプやキセノンランプ等からなり、光源６０より発生した光がリフレクタ６０ａにより平行光線として偏光ビームスプリッタ６１に照射される。偏光ビームスプリッタ６１は内部にスプリッタ面６１ａを有し、このスプリッタ面６１ａで光源６０から照射された光のうち、Ｓ偏光成分（スプリッタ面６１ａに対して水平方向の偏光成分）の光を反射し、Ｐ偏光成分（Ｓ偏光成分に対して直角方向の偏光成分）の光を透過する。フィルタ６２は緑用の液晶表示パネル６３の入射側に配置され、偏光ビームスプリッタ６１で分割されたＰ偏光成分の光のうち、緑波長の光のみを透過して緑用の液晶表示パネル６３に照射する。
【０１２０】
ダイクロイックミラー６４，６５および全反射ミラー６６，６７，６８は、偏光ビームスプリッタ６１で反射されたＳ偏光成分の光を赤、青の２種類の波長に分割して、赤用および青用の各液晶パネル６９，７０にそれぞれ照射する。すなわち、偏光ビームスプリッタ６１で分割されたＳ偏光成分の光は全反射ミラー６６で反射され、この反射光がダイクロイックミラー６４で赤波長の光のみが反射され、残りが透過する。このダイクロイックミラー６４で反射された赤波長の光は全反射ミラー６７および６８で順次反射されて赤用の液晶表示パネル６８に照射される。
【０１２１】
また、ダイクロイックミラー６４を透過した光は次のダイクロイックミラー６５で青波長の光のみが反射され、この反射光が青用の液晶表示パネル７０に照射される。このように各波長の光が照射される赤用、緑用、青用の各液晶表示パネル６３，６９，７０は、それぞれ各色ごとの画像を表示するものであり、一対の透明な電極基板間に液晶を封入して
液晶セルを構成し、この液晶セルの両面に偏光板を設けた構成となっている。
【０１２２】
この場合、各液晶表示パネル６３，６９，７０は、各偏光板の透過軸が互いに平行に設けられ、電圧を印加しない非駆動状態で光を遮断し、電圧が印加された駆動状態で光を透過するものが用いられている。よって、各画像をカラー画像に合成することにより、この合成されたカラー画像は投影レンズ部７２によりスクリーン８１に拡大投影される。
【０１２３】
メモリーカードなどの記録メディア（図示せず）を、投射装置８２に設けられた記録メディア挿入手段７３に挿入することにより、撮影画像を読み込む。この記録メディアに書き込まれている撮影画像は、マイクロコンピュータ７４、画像読み込み制御手段７５の制御信号に基づき、画像読み込み手段７６を介して、フレームメモリ７７に転送される。フレームメモリ７７に転送された画像データは、赤用、緑用、青用の３つのデータに分割される。
【０１２４】
この３つのデータを基に、赤用液晶表示パネル制御手段７８、緑用液晶表示パネル制御手段７９、青用液晶表示パネル手段８０の指令に基づき、赤用液晶表示パネル６９、緑用液晶表示パネル６３、青用液晶表示パネル７０を駆動することにより、３つのカラー画像が合成されて投射される。
【０１２５】
この際、画像読み込み手段７６により読み込まれる画像データには、第２の実施の形態にて説明した姿勢判別信号３６が付加されており、その姿勢判別信号３６に基づき、画像読み込み手段７６は、フレームメモリ７７での画像データの縦横の並べ方を制御する。
【０１２６】
以上のように構成された第８の実施の形態の投射装置に関し、以下その動作を説明する。
【０１２７】
撮影者が図２４（ａ）に示す状態にて、風景など横長の被写体を撮影した場合の撮影画像の投射方法について説明する。第２の実施の形態にて説明したように、この姿勢にて撮影された撮影画像には、撮影姿勢が０゜であったことを示す姿勢判別信号３６（０）が付加されている。この撮影画像を、投射装置８２で投射させる場合には、投射させる撮影画像に記録された撮影装置１の姿勢判別信号３６（０）に基づき、撮影画像の投射方法を制御する。すなわち、この撮影画像は、０゜の姿勢で撮影されたものあるため、図２３（ａ）に示すように、撮影装置１の通常の使用状態にて表示される。
【０１２８】
次に撮影者が図２５（ａ）に示す状態にて、人物など縦長の被写体を撮影した場合の投射方法について説明する。これも第２の実施の形態にて説明したように、この姿勢にて撮影された撮影画像には、撮影姿勢が９０゜であったことを示す姿勢判別信号３６（１）が付加されている。この撮影画像を、投射装置８２で投射させる場合には、投射させる撮影画像に記録された撮影装置１の姿勢判別信号３６（１）に基づき、撮影画像の投射方法を制御する。すなわち、この撮影画像は、９０゜の姿勢で記録されたものであるため、図２３（ｂ）に示すように、図２２（ａ）に示す状態から自動的に９０゜回転させて投射される。つまり、被写体の上側が、投射装置８２の通常の使用状態における上側に表示されるため、縦長の撮影画像が横向きに投射されて見づらいなどの問題が生じなくなる。
【０１２９】
以上のように第８の実施の形態によれば、投射装置にて撮影画像を表示させる場合、撮影画像に記録された姿勢判別信号に基づいて映像信号を出力することにより、撮影者が使用した撮像装置の姿勢に左右されることなく、本来の被写体の姿勢にて投射装置により投射できる。
【０１３０】
なお本実施の形態における投射装置については、液晶パネルを用いたものを例にして説
明したが、例えばＤＬＰ（Digital Light Processing）方式などの他の方式であっても、同様な効果が得られることが言うまでもない。また投射方式については、フロント式、リア式など、どの方式であっても良い。
【０１３１】
また撮影画像については静止画について説明したが、これまで同様、動画、あるいは簡易動画であっても良く、その場合についてはさらに効果が大きい。
【産業上の利用可能性】
【０１３２】
以上のように、本発明の撮像装置によれば、手ぶれ補正機構を搭載したことにより、手ぶれのない良好な画像を撮影することができる。さらにアクチュエータの駆動電流検出手段により、撮像装置の姿勢を判別することが可能となるため、被写体と撮影画像の上下左右が一致するように縦横を並べ替えて撮影画像を記録することができるという顕著な効果が得られる。
【図面の簡単な説明】
【０１３３】
【図１】第１の実施の形態における撮像装置のハードウェア構成図
【図２】同手ぶれ補正装置のハードウェア構成図
【図３】同像ぶれ補正機構を示す分解斜視図
【図４】同像ぶれ補正機構の姿勢を示す図
【図５】同アクチュエータの電流値の大きさを示す図
【図６】同撮影画像データの縦横の並べ替えを説明する図
【図７】第２の実施の形態における撮像装置の撮影画像に記録される撮像装置の姿勢判別信号を説明する図
【図８】第１、第２の実施の形態のその他の実施の形態における撮像装置のハードウェア構成図
【図９】第３の実施の形態における撮影画像を記録する際のフローチャート
【図１０】同撮像装置のファイル管理方法を説明する図
【図１１】第４の実施の形態における撮像装置のハードウェア構成図
【図１２】同撮影画像の表示方法を説明する図
【図１３】第５の実施の形態における撮像装置の表示部を説明する図
【図１４】同サムネイル表示について説明する図
【図１５】第６の実施の形態における撮像装置のハードウェア構成図
【図１６】同撮像装置と外部の表示装置の接続状態を示す図
【図１７】同外部の表示装置に表示される撮影画像を示す図
【図１８】第７の実施の形態における撮像装置と表示装置間の撮影画像の受け渡し方法を説明する図
【図１９】同表示装置のハードウェア構成図
【図２０】第８の実施の形態のその他の実施の形態における表示装置のハードウェア構成図
【図２１】第８の実施の形態における投射装置投射部のハードウェア構成図
【図２２】同投射装置制御部のハードウェア構成図
【図２３】同撮影画像の投射方法を説明する図
【図２４】従来の撮像装置における通常の撮影姿勢ならびに撮影画像の表示方法を示す図
【図２５】図２４の撮影姿勢に対し９０゜回転させた撮影姿勢ならびに撮影画像の表示方法を示す図
【符号の説明】
【０１３４】
１    撮像装置
２、６４    マイクロコンピュータ
３    撮像光学系
１１    画像記録手段
１２ｘ    ヨーイング駆動制御手段
１２ｙ    ピッチング駆動制御手段
１３    位置検出手段
１４ｘ，１４ｙ    角速度センサ
１７ｘ    ヨーイング電流値検出手段
１７ｙ    ピッチング電流値検出手段
１９    レンズ鏡筒
２０    手ぶれ補正機構
２１    ピッチング移動枠
２２    ヨーイング移動枠
２４ｘ、２４ｙ    コイル
２９ｘ、２９ｙ    アクチュエータ
３３    表示装置
３４    表示ボタン
３６（０），３６（１）    姿勢判別信号
３７    画像出力手段
３８    映像ケーブル
３９    外部の表示装置
４１    記録メディア挿入手段
４２    記録メディア
４３    パーソナルコンピュータ
４６    画像信号出力制御手段
５１    送信手段
５５    受信手段
６３，６９，７０    液晶パネル
８１    スクリーン
８２    投射装置
９０    撮影画像フォルダ
９３    横姿勢画像フォルダ
９４    縦姿勢画像フォルダ
Ｌ２    補正レンズ群